(57)【要約】【課題】本発明は、例えば内燃機関においてガス交換バルブを操作するために設けられ得るようなバルブタペット装置に関する。更に本発明は、バルブタペット装置の基本ボディ（１）のその往復動軸線（Ｘ）の回りの回転運動又は旋回運動を防止するためのバルブタペット装置用の回り止め装置に関するものでもある。本発明の基礎を成す課題は、有利な作動特性及び稼動特性により傑出し且つ製造技術的及び組立技術的に有利とされるバルブタペット装置並びに回り止め装置を創作することである。【解決手段】前記の課題は、本発明に従い、以下のバルブタペット装置により解決される。即ち、バルブタペット装置が、基本ボディと、基本ボディを往復動軸線に沿って案内するための、案内面（３）を形成する外殻部分と、その往復動軸線の回りの回転運動又は旋回運動を阻止するための回り止め要素（４）とを有し、この際、回り止め要素が、外殻部分上に着座するシート面と、半径方向で外殻部分を越えて突出する案内ボディ（４）とを有し、この際、このバルブタペット装置は、回り止め要素が、第１係合突起（５）と、往復動方向でこの第１係合突起から離間した第２係合突起（６）とを含んでいること、及び、外殻部分には、第１係合部分（５）に割り当てられている第１半径方向穴（Ｒｂ１）と、第２係合部分（６）に割り当てられている第２半径方向穴（Ｒｂ２）とが備えられていて、第１係合部分も第２係合部分も、各々、往復動軸線に対して半径方向で、各々に割り当てられている半径方向穴内に入り込むことにより傑出している。【選択図】図１
2006528296.tif 000002
【特許請求の範囲】
【請求項１】
バルブタペット装置であって、
−  基本ボディ（１）と、
−  基本ボディ（１）を往復動軸線（Ｘ）に沿って案内するための、案内面（３）を形成する外殻部分（２）と、
−  その往復動軸線（Ｘ）の回りの回転運動又は旋回運動を阻止するための回り止め要素（４）とを有し、回り止め要素（４）が、外殻部分（２）上に着座するシート面と、半径方向で外殻部分（２）を越えて突出する案内ボディとを有する、
前記バルブタペット装置において、
回り止め要素（４）が、第１係合突起（５）と、往復動方向でこの第１係合突起（５）から離間した第２係合突起（６）とを含んでいること、及び、外殻部分（２）には、第１係合部分（５）に割り当てられている第１半径方向穴（Ｒｂ１）と、第２係合部分（６）に割り当てられている第２半径方向穴（Ｒｂ２）とが備えられていて、第１係合部分（５）も第２係合部分（６）も、各々、往復動軸線（Ｘ）に対して半径方向で、各々に割り当てられている半径方向穴（Ｒｂ１、Ｒｂ２）内に入り込むことを特徴とするバルブタペット装置。
【請求項２】
第１係合部分（５）と第２係合部分（６）とが、各々の半径方向穴（Ｒｂ１、Ｒｂ２）内に、回り止め要素（４）が往復動方向においても外殻部分（２）の周方向においても実質的に遊びのない状態で外殻部分（２）と結合されているように収容されていることを特徴とする、請求項１に記載のバルブタペット装置。
【請求項３】
第１係合部分（５）並びに第２係合部分（６）がシリンダピンとして形成されていることを特徴とする、請求項１又は２に記載のバルブタペット装置。
【請求項４】
第１係合部分（５）及び第２係合部分（６）が往復動軸線（Ｘ）に対して平行な切断面内で横断面として円形状であることを特徴とする、請求項１〜３のいずれか一項に記載のバルブタペット装置。
【請求項５】
前記の両方のシリンダピンが各々同じ直径を有することを特徴とする、請求項１〜４のいずれか一項に記載のバルブタペット装置。
【請求項６】
第１係合部分（５）又は第２係合部分（６）においてシート面（Ｓ）を越えて高まり且つ往復動軸線（Ｘ）の方に進出する領域の突出寸法（ｌ）が、少なくとも外殻部分（２）の壁厚（ｔ）に対応することを特徴とする、請求項１〜５のいずれか一項に記載のバルブタペット装置。
【請求項７】
第１係合部分（５）の領域及び第２係合部分（６）の領域において外殻部分（２）に内側係合する固定構成部（５ｂ、６ｂ）が形成されていることを特徴とする、請求項１〜６のいずれか一項に記載のバルブタペット装置。
【請求項８】
固定構成部（５ｂ、６ｂ）がロック装置として形成されていることを特徴とする、請求項７に記載のバルブタペット装置。
【請求項９】
前記のロック装置が、外殻部分（２）に内側係合するロック構成部（Ｒ）を有することを特徴とする、請求項８に記載のバルブタペット装置。
【請求項１０】
ロック構成部（Ｒ）が弾性的に可撓のアーム部分（５ｃ、６ｃ）に設けられていることを特徴とする、請求項９に記載のバルブタペット装置。
【請求項１１】
アーム部分（５ｃ、６ｃ）が、これに割り当てられている半径方向穴（Ｒｂ１、Ｒｂ２）内に配設されていることを特徴とする、請求項１０に記載のバルブタペット装置。
【請求項１２】
回り止め要素（４）が一時的な弾性変形のもと基本ボディ（１）と係合状態にもたらされ得ることを特徴とする、請求項１〜１１のいずれか一項に記載のバルブタペット装置。
【請求項１３】
回り止め要素（４）の案内ボディが往復動軸線（Ｘ）に対して垂直の切断面内で円切片状の横断面（Ｑ）を有することを特徴とする、請求項１〜１２のいずれか一項に記載のバルブタペット装置。
【請求項１４】
前記の案内ボディがプラスチック材料から製造されていることを特徴とする、請求項１〜１３のいずれか一項に記載のバルブタペット装置。
【請求項１５】
回り止め要素（４）が、組込ポジションにおいて、脱落しないように基本ボディ（１）と結合されていることを特徴とする、請求項１〜１４のいずれか一項に記載のバルブタペット装置。
【請求項１６】
回り止め要素（４）が基本ボディ（１）と形状拘束によって結合されていることを特徴とする、請求項１〜１５のいずれか一項に記載のバルブタペット装置。
【請求項１７】
基本ボディ（１）と回り止め要素（４）の形状拘束による接続が、係合部分（５、６）の少なくとも１つの、外殻部分（２）を通過する端部領域の変形によりもたらされていることを特徴とする、請求項１６に記載のバルブタペット装置。
【請求項１８】
基本ボディ（１）と回り止め要素（４）の形状拘束による接続が、外殻部分（２）を通過する各係合部分（５、６）にヘッド部分を形成することによりもたらされていることを特徴とする、請求項１７に記載のバルブタペット装置。
【請求項１９】
前記の変形が、係合部分（５、６）の少なくとも１つの局部的な可塑化との関連でもたらされていることを特徴とする、請求項１７又は１８に記載のバルブタペット装置。
【請求項２０】
回り止め要素（４）が外殻部分（２）に射出成形加工されていることを特徴とする、請求項１〜７のいずれか一項に記載のバルブタペット装置。
【請求項２１】
基本ボディ（１）にヘッド部分（７）が備えられていて、ヘッド部分（７）がカム接触ゾーン（８）を提供することを特徴とする、請求項１〜２０のいずれか一項に記載のバルブタペット装置。
【請求項２２】
カム接触ゾーン（８）が、湾曲された特にボール状のカム接触面を形成することを特徴とする、請求項１〜２１のいずれか一項に記載のバルブタペット装置。
【請求項２３】
バルブタペット装置がバケットタペットを形成することを特徴とする、請求項１〜２２のいずれか一項に記載のバルブタペット装置。
【請求項２４】
請求項１〜２３のいずれか一項に記載のバルブタペット装置のために用いられる回り止め要素。
【請求項２５】
請求項１〜２３のいずれか一項に記載のバルブタペット装置ために用いられる基本ボディ。
【発明の詳細な説明】
【技術分野】
【０００１】
本発明は、バルブタペット装置、特にバケットタペットであって、例えば内燃機関においてガス交換バルブを操作するために設けられ得るように、凸状に湾曲されたカム従動面を有するバケットタペットに関する。更に本発明は、バルブタペット装置の基本ボディのその往復動軸線の回りの回転運動又は旋回運動を防止するためのバルブタペット装置用の回り止め装置に関するものでもある。
【背景技術】
【０００２】
特許文献１からはバルブタペット用の回り止め装置が知られている。このバルブタペットはバケットタペットとして形成されていて、側方において即ちタペット外殻の領域において穴が備えられている。この穴には、螺旋状圧縮バネにより形成されている案内要素が嵌め込まれている。螺旋状圧縮バネは、この螺旋状圧縮バネの側方領域が半径方向でバケットタペットの外側の外殻面を越えて突出するように前記穴内に収容されている。螺旋状圧縮バネにおいて半径方向に突出するこの部分は、組込ポジションにおいて、シリンダヘッド側に形成されている案内溝内に入り込み、直線案内要素として、バケットタペットのその往復動軸線の回りの旋回運動を防止する。
【０００３】
特許文献２からは類似するタペットが知られていて、このタペットでは前述の案内要素がシリンダピンとして形成されていて、前記の螺旋状圧縮バネと同じ形式でタペット外殻の側方穴に嵌め込まれている。
【０００４】
特許文献３からは回り止めされたタペットが知られていて、その外殻領域には穴が備えられていて、この穴内には案内部材が、その案内部分が半径方向で外殻領域から張り出しているように嵌め込まれている。この張出領域は、組込ポジションにおいて、シリンダヘッド側に設けられている案内溝内に入り込み、この際、周知のごとく、タペットのその往復動軸線の回りの回転運動又は旋回運動を防止する。
【０００５】
特許文献４及び特許文献５からはバルブタペット用の他の回り止め装置が知られていて、これらの装置では、周方向の回転を防止するために設けられている案内器具が、バルブタペットの外殻領域の穴内に嵌め込まれている又は入り込んでいる。
【０００６】
バルブタペット用の回り止め装置は、対応するカムと少なくとも一時的に接触状態になり且つカムにより操作されるカム従動面が湾曲されている、例えばボール状に形成されている場合に特に必要である。
【０００７】
【特許文献１】独国特許出願公開第４３４２１９９Ａ１号明細書
【特許文献２】独国特許発明第４３０２８７７Ｃ２号明細書
【特許文献３】独国特許出願公開第１９６００８５２Ａ１号明細書
【特許文献４】独国特許出願公開第１０１１０９１４Ａ１号明細書
【特許文献５】米国特許第３８２２６８３号明細書
【発明の開示】
【発明が解決しようとする課題】
【０００８】
本発明の基礎を成す課題は、有利な作動特性及び稼動特性により傑出し且つ製造技術及び組立技術の観点において有利とされるバルブタペット装置を創作することである。
【課題を解決するための手段】
【０００９】
前記の課題は、本発明に従い、以下のバルブタペット装置により解決される。即ち、バルブタペット装置が、基本ボディと、基本ボディを往復動軸線に沿って案内するための、案内面を形成する外殻部分と、その往復動軸線の回りの回転運動又は旋回運動を阻止するための回り止め要素とを有し、この際、回り止め要素が、外殻部分上に着座するシート面と、半径方向で外殻部分を越えて突出する案内ボディとを有し、この際、このバルブタペット装置は、回り止め要素が、第１係合突起（第１係合部分）と、往復動方向でこの第１係合突起から離間した第２係合突起（第２係合部分）とを含んでいること、及び、外殻部分には、第１係合部分に割り当てられている第１半径方向穴と、第２係合部分に割り当てられている第２半径方向穴とが備えられていて、第１係合部分も第２係合部分も、各々、往復動軸線に対して半径方向で、各々に割り当てられている半径方向穴内に入り込むことにより傑出している。
【００１０】
それにより有利には、基本ボディのその往復動軸線の回りの許されない回転運動を確実に防止することが可能であり、この際、本発明に従い提案されている、組立技術的に有利に達成可能である基本ボディと回り止め要素の結合により、基本ボディの外殻部分が、許されないほど強く構造機械的に損傷されることはない。
【００１１】
第１係合部分と第２係合部分とは、各々の半径方向穴内に、好ましくは、回り止め要素が往復動方向においても外殻部分の周方向においても実質的に遊びのない状態で外殻部分と結合されているように収容されている。遊びのないこの着座は、特に、それらの係合部分が定義されたオーバーサイズをもち、それによりそれらの係合部分が軽度のプレス嵌めのもと各々の半径方向穴内に着座することで達成され得る。また、係合部分である嵌込部分を半径方向穴内に嵌め込んだ場合、定義された緊張、好ましくは案内ボディの圧縮緊張が得られるように、係合部分と半径方向穴のポジションをずらして決定することも可能である。
【００１２】
第１係合部分並びに第２係合部分は、好ましくはシリンダピンとして又は少なくともシリンダピン切片（シリンダピンセグメント）として形成されている。この際、各々の係合部分を受け入れるためにシリンダ外殻に設けられている係合穴は、製造技術的に有利には、基本ボディの外殻部分に穿孔され得る。第１嵌込部分と第２嵌込部分のために異なる直径を設けることも可能であり、それにより、回り止め要素が、所定の組込ポジションにおいてのみ、外殻部分に嵌込可能である。しかし両方の半径方向穴並びに両方の係合部分は、好ましくは同じ直径を有し、それにより、両方の半径方向穴が同じ工具を用いて穿孔され得て、回り止め要素は「１８０°」旋回されて外殻部分に嵌め込まれ得る。
【００１３】
第１係合部分又は第２係合部分においてシート面を越えて高まり且つ往復動軸線の方に進出する領域の突出寸法は、好ましくは、少なくとも外殻部分の壁厚に対応する。それにより、半径方向穴により提供されている穴内側面を完全に往復動力の伝達のために援用することが可能である。また、半径方向穴の領域において、構成部、特に回り止め要素を外殻部分に固定可能とする周エッジを既に設けることも可能である。
【００１４】
バケットタペットの外殻部分に回り止め要素を特に有利に固定することは、第１係合部分の領域及び第２係合部分の領域において外殻部分に内側係合する固定構成部が形成されていることにより達成され得る。
【００１５】
前記の固定構成部はロック装置として形成されていて、これらのロック装置は、弾性的に可撓のアーム部分に設けられている。このアーム部分は、好ましくは、これに割り当てられている半径方向穴内に、このアーム部分が半径方向穴の包囲円内にあるように配設されている。他の構成部、例えば、ロック装置をロック位置において拘束し且つ固定させる差込成形部材を設けることも可能である。
【００１６】
回り止め要素と外殻部分との間のロック係合は、回り止め要素の一時的な弾性変形のもとでももたらされ得る。
【００１７】
回り止め要素は、好ましくは、十分に弾性的な材料から製造されていて、そのロック構成部に関しては、それが基本ボディに留められるように基本ボディ上に適合されている。
【００１８】
回り止め要素により形成されている案内ボディは、好ましくは、往復動軸線に対して垂直の切断面内で円切片（円セグメント）状、好ましくは半円切片状の横断面を有する。
【００１９】
有利には、案内ボディ、即ち回り止め要素は、プラスチック材料から製造されている。それにより、回り止め要素を製造技術的な観点のもと有利に提供することが可能である。更に、そのように構成されているバルブタペット装置は少ない質量と有利な作動特性及び減衰特性により傑出している。
【００２０】
プラスチック材料の選択は、好ましくは材質技術的な観点のもと行われ、これらの観点は、熱的な及び機械的な負荷能力の他、特に摩擦技術的な及び振動技術的な基準も考慮される。
【００２１】
回り止め要素は、好ましくは、組込ポジションにおいて、脱落しないように基本ボディと形状拘束によって結合されている。基本ボディと回り止め要素の形状拘束による接続は、係合部分の少なくとも１つの、外殻部分を通過する端部領域の変形によりもたらされ得る。特に、基本ボディと回り止め要素の形状拘束による接続を、外殻部分を通過する各係合部分にヘッド部分を形成することにより達成することが可能である。変形は、局部的な可塑化、例えば熱溶解により達成され得る。
【００２２】
また、外殻部分に対して回り止め要素をプラスチック射出成形ステップの枠内で射出成形加工することも可能である。この際、好ましくは、バケットタペットは型コアにおいて支持され、この型コアは、外殻部分に内側係合するヘッド部分を形成するための型空間部分を有する。
【００２３】
また、外殻部分と回り止め部分の結合を、追加的な接続手段、特にリベット接続手段により支援することも可能である。
【００２４】
回り止め要素の形状は、好ましくは、案内ボディが、組込ポジションにおいて、脱落しないように基本ボディと結合されているように調整されている。回り止め要素と基本ボディとの間の結合構成部を、これらが高い安全裕度をもって往復動方向並びに周方向における形状拘束結合を保証するように、寸法決定することが可能である。半径方向における固定装置は、１つの脱落防止装置だけが組立過程のために保証されているように設計され得る。
【００２５】
基本ボディ自体に、直接的にヘッド部分が備えられ得て、この際、このヘッド部分はカム接触ゾーンを形成する。またこれに対して選択的に、基本ボディ内に例えば選択的に切換可能な他のタペット要素を導くことも可能である。カム接触ゾーンは、好ましくは、カムシャフト軸線に対して半径方向の切断面内で、湾曲された特にボール状のカム接触面を形成する。そのように構成されたバルブタペット装置は、特に、上方に位置して配設されているカムシャフトと、傾斜して据えつけられた即ち互いに平行でなく傾けられたバルブ軸線とを有する内燃機関におけるバケットタペットの形式で使用され得る。
【発明を実施するための最良の形態】
【００２６】
本発明の他の有利な詳細は、図面に関する以降の記載から読み取れる。
【実施例１】
【００２７】
図１に描かれているバルブタペット装置は基本ボディ１を含み、その外殻部分２は、往復動軸線Ｘに沿って基本ボディ１を案内するために案内面３を形成する。
【００２８】
基本ボディ１には、基本ボディ１のその往復動軸線Ｘの回りの回転運動又は旋回運動を阻止するために回り止め要素４が装着されていて、この際、この回り止め要素４は、半径方向で外殻部分２から張り出す案内ボディを形成する。
【００２９】
基本ボディ１にはヘッド部分７が備えられている。ヘッド部分７はカム接触ゾーン８を形成する。カム接触ゾーン８は、この実施形態において、カムシャフト半径方向面Ｅ内でボール状に湾曲されたカム接触面として形成されている。基本ボディ１は、回り止め要素４と共に、上方に位置するカムシャフトと斜めに据え付けられたバルブとを有するバルブ装置用のバケットタペット装置を形成する。
【００３０】
図３と関連し、図２から分かるように、このバルブタペット装置は、回り止め要素４が、第１係合突起５（第１係合部分）と、往復動方向でこの第１係合突起５から離間した第２係合突起６（第２係合部分）とを含んでいること、及び、外殻部分２には、第１係合部分５に割り当てられている第１半径方向穴Ｒｂ１と、第２係合部分６に割り当てられている第２半径方向穴Ｒｂ２とが備えられていて、第１係合部分５も第２係合部分６も、各々、往復動軸線Ｘに対して半径方向で、各々に割り当てられている半径方向穴Ｒｂ１、Ｒｂ２内に入り込むことにより傑出している。
【００３１】
第１係合部分５と第２係合部分６とは、各々の半径方向穴Ｒｂ１、Ｒｂ２内に、回り止め要素４が往復動方向においても外殻部分２の周方向においても実質的に遊びのない状態で外殻部分２と結合されているように収容されている。
【００３２】
第１係合部分５並びに第２係合部分６はシリンダピンとして形成されていて、往復動軸線Ｘに対して平行な切断面内で円形状の横断面を有する。両方のシリンダピンは各々同じ直径を有する。
【００３３】
第１係合部分５又は第２係合部分６においてシート面Ｓを越えて高まり且つ往復動軸線Ｘの方に進出する領域の突出寸法ｌ（図３）は、好ましくは、少なくとも外殻部分２の壁厚ｔ（図２）に対応する。各々の係合部分５、６のフット領域Ｆｂにはシート面Ｓへの移行部が、回り止め要素４が確実にそのシート面Ｓをもって外殻部分２上に着座し得るように構成されている。この実施形態においてその移行部はアンダーカット（逃し溝）として実施されている。
【００３４】
図４から分かるように、回り止め要素４の案内ボディは、往復動軸線Ｘに対して垂直の切断面内で円切片（円セグメント）状の横断面を有する。案内ボディはプラスチック材料から製造されていて、矢印シンボルＰにより示唆されているように、半径方向で外殻部分２に嵌込可能である。バケットタペットを案内するためにシリンダヘッド側に設けられている案内構成部、特に回り止め要素４を受け入れるために設けられている滑り溝に条件づけられ、回り止め要素４は、組込ポジションにおいて、脱落しないように外殻部分２と結合されている。
【実施例２】
【００３５】
図５には、回り止めされたバケットタペットの他のバリエーションが描かれている。この実施形態において回り止め要素４には第１係合部分５の領域及び第２係合部分６の領域に外殻部分２と内側係合する固定構成部５ａ、６ａが備えられている。
【００３６】
固定構成部５ａ、６ａはロック装置として形成されていて、各々、外殻部分２に内側係合するロック構成部５ｂ、６ｂを有する。ロック構成部５ｂ、６ｂは、各々、弾性的に可撓のアーム部分５ｃ、６ｃが設けられている。アーム部分５ｃ、６ｃは、組込ポジションにおいて、各々に割り当てられている半径方向穴Ｒｂ１、Ｒｂ２内に配設されている。
【００３７】
図６には、図５による回り止め要素４が詳細として拡大されて描かれている。固定構成部５ａ、６ａの配置構成と形状は、アーム部分５ｃ、６ｃが、半径方向穴Ｒｂ１、Ｒｂ２（図５）により定義されている包囲円内にあるように構成されている。アーム部分５ｃ、６ｃは、回り止め要素４を外殻部分２に嵌め込む場合、先ず矢印Ｐ２及びＰ３により示唆されているように逸らされる。ロック構成部５ｂ、６ｂにより提供されているロック面Ｒが外殻部分２の内側で内面のところに位置すると直ちにこれらのロック構成部５ｂ、６ｂがここで図示されているポジションに弾性的に戻るように旋回され、この際、半径方向穴Ｒｂ１、Ｒｂ２間において定義されている外殻部分２の領域に内側係合する。
【００３８】
アーム部分５ｃ、６ｃのための十分な運動自由度を達成するために、対応的なフリースリット５ｄ、６ｄが、係合部分である嵌込部分５、６に形成されている。
【００３９】
ここで示されている回り止め要素４は、射出成形ステップの枠内でプラスチック材料から製造され得る。型工具においてロック面を定義する型壁が押込工具の端面により定義され、この押込工具が、押込工具開口ＳＴを形成しながら、案内ボディを形成するために設けられている型空間を通過することにより、ここで示されている実施形態は、スライダを伴わない工具により製造され得る。対応する工具分割面ＷＺの延在経過は図６で鎖線により示唆されている。
【００４０】
図７には、斜視図の形式で、図６による回り止め要素４が、その中に形成されている押込工具開口ＳＴと、その中に位置するロック面Ｒとを見るように描かれている。この押込工具開口ＳＴ内に、ロック機構を締結位置で固定する嵌込要素を嵌め込むことが可能である。
【００４１】
また、前述の実施形態に対して選択的に、ロック機構を別の方法で例えば係合部分５、６の前面端部を周回するロックエッジにより実現することも可能である。
【００４２】
また、係合部分５、６を外殻部分２の内部領域において可塑的に特に超音波溶解により変形することも可能である。更に、回り止め要素４が、一時的な弾性変形、特に、圧縮、曲げ、又は拡大のもと、基本ボディ１とロック係合状態になるようにロック構成部を形成することも可能である。
【００４３】
回り止め要素４の係合器具を受け入れるために基本ボディ１に設けられている半径方向穴Ｒｂ１、Ｒｂ２は、基本ボディ１の製造の枠内で特に研磨過程時に締付面又は位置決め面としても用いられ得る。
【００４４】
以上、本発明について、本発明に従う直線案内の達成のために１つだけの回り止め要素が設けられているタペット装置との関連で説明したが、例えば直径上に互いに対向位置する複数のそのような回り止め要素、又はそれとは異なって配設され好ましくは周方向に等間隔に配設される回り止め要素を設けることも可能である。対応する案内溝内の回り止め要素の作動遊びは、特に最適の接触面方向付けに有利になるようにバケットタペットの旋回運動がより小さくなり得るような大きさに量定され得る。
【図面の簡単な説明】
【００４５】
【図１】回り止め要素並びに基本ボディを有する本発明に従うバルブタペット装置の斜視図である。
【図２】結合構成を説明するための、図１によるバルブタペット装置の軸方向断面図である。
【図３】図１及び図２によるバルブタペット装置の回り止め要素の斜視図である。
【図４】バケットタペットと、図１及び図２によるバルブタペット装置に付設の回り止め要素との斜視図である。
【図５】バケットタペットと、ロック装置を有する本発明の第２実施形態に従うバルブタペット装置に付設の回り止め要素との斜視部分断面図である。
【図６】図５による回り止め要素の構造を説明するための軸方向断面図である。
【図７】図５及び図６によるバルブタペット装置の回り止め要素の斜視図である。
【符号の説明】
【００４６】
１        基本ボディ
２        外殻部分
３        案内面
４        回り止め要素
５        第１係合突起（第１係合部分）
５ａ      固定構成部
５ｂ      ロック構成部
５ｃ      アーム部分
５ｄ      フリースリット
６        第２係合突起（第２係合部分）
６ａ      固定構成部
６ｂ      ロック構成部
６ｃ      アーム部分
６ｄ      フリースリット
７        ヘッド部分
８        カム接触ゾーン
ｌ        係合突起の突出寸法
ｔ        外殻部分の壁厚
Ｆｂ      係合突起のフット領域
Ｒ        ロック面
Ｒｂ１    第１半径方向穴
Ｒｂ２    第２半径方向穴
Ｅ        カムシャフト半径方向面
Ｓ        シート面
ＳＴ      押込工具開口
ＷＺ      工具分割面
Ｘ        往復動軸線
【図１】
2006528296.tif 000003
【図２】
2006528296.tif 000004
【図３】
2006528296.tif 000005
【図４】
2006528296.tif 000006
【図５】
2006528296.tif 000007
【図６】
2006528296.tif 000008
【図７】
2006528296.tif 000009
【国際調査報告】
2006528296.tif 000010
2006528296.tif 000011
2006528296.tif 000012
2006528296.tif 000013
2006528296.tif 000014
2006528296.tif 000015